(57)【要約】【課題】  ＦＰＤにおけるシンチレータ種類や感度をネットワーク上で認識させることにより、撮影の効率化を図る。【解決手段】  この放射線撮影システムには、入射した放射線の強度に応じて発光するシンチレータを有するシンチレータ層、シンチレータの発光を検出して電気エネルギーに変換する光電変換層及び光電変換層で得られた電気エネルギーを蓄積及び出力するスイッチング素子を有するスイッチング素子層を少なくとも有して、被写体の放射線画像情報を取得する複数の放射線画像検出装置が備えられている。また、放射線撮影システムには、複数の放射線画像検出装置から所望の放射線画像検出装置を選択する選択手段を有する撮影動作制御装置が備えられている。そして、撮影動作制御装置は、複数の放射線画像検出装置のそれぞれに用いられているシンチレータのシンチレータ情報を表示する表示手段を有している。【選択図】図１
2006026283.tif 000002
【特許請求の範囲】
【請求項１】
入射した放射線の強度に応じて発光するシンチレータを有するシンチレータ層、前記シンチレータの発光を検出して電気エネルギーに変換する光電変換層及び前記光電変換層で得られた電気エネルギーを蓄積及び出力するスイッチング素子を有するスイッチング素子層を少なくとも有して、前記被写体の放射線画像情報を取得する複数の放射線画像検出装置と、
前記複数の放射線画像検出装置から所望の放射線画像検出装置を選択する選択手段を有する撮影動作制御装置と、を備え、
前記撮影動作制御装置は、前記複数の放射線画像検出装置のそれぞれに用いられている前記シンチレータのシンチレータ情報を表示する表示手段を有することを特徴とする放射線撮影システム。
【請求項２】
入射した放射線の強度に応じて発光するシンチレータを有するシンチレータ層、前記シンチレータの発光を検出して電気エネルギーに変換する光電変換層及び前記光電変換層で得られた電気エネルギーを蓄積及び出力するスイッチング素子を有するスイッチング素子層を少なくとも有して、前記被写体の放射線画像情報を取得する複数の放射線画像検出装置と、
前記複数の放射線画像検出装置のそれぞれにおける前記シンチレータのシンチレータ情報を管理する管理装置と、
前記管理装置で管理された前記シンチレータ情報を表示し、前記放射線画像検出装置を選択する選択手段の選択結果に対応した前記放射線画像検出装置の撮影動作を制御する撮影動作制御装置と、を備えることを特徴とする放射線撮影システム。
【請求項３】
請求項１又は２記載の放射線撮影システムにおいて、
前記シンチレータ情報には、前記シンチレータの種類及び感度の少なくとも一方が含まれていることを特徴とする放射線撮影システム。
【請求項４】
請求項３記載の放射線撮影システムにおいて、
前記シンチレータ情報には、前記シンチレータに対応する前記放射線画像検出装置の種類及びサイズの少なくとも一方が含まれていることを特徴とする放射線撮影システム。
【請求項５】
請求項１〜４のいずれか一項に記載の放射線撮影システムにおいて、
前記撮影動作制御装置は、患者予約時に、前記複数の放射線画像検出装置における前記シンチレータ情報を表示することを特徴とする放射線撮影システム。
【請求項６】
請求項１〜５のいずれか一項に記載の放射線撮影システムにおいて、
前記撮影動作制御装置は、患者予約時に入力される撮影条件を基に、当該撮影条件に対応可能な前記シンチレータ情報の候補を選択し、当該シンチレータ情報と他の前記シンチレータ情報とを視覚的に区別して表示することを特徴とする放射線撮影システム。
【請求項７】
請求項１〜６のいずれか一項に記載の放射線撮影システムにおいて、
前記通信回線に接続され、かつ前記放射線画像検出装置によって取得された前記放射線画像情報に対して画像処理を施す画像処理装置を備え、
前記画像処理装置は、前記放射線画像情報を取得した前記放射線画像検出装置の前記シンチレータ情報に対応させて、画像処理条件を変更することを特徴とする放射線撮影システム。
【請求項８】
請求項１〜７のいずれか一項に記載の放射線撮影システムにおいて、
前記撮影動作制御装置は、前記複数の放射線画像検出装置を予めグループ化して、前記放射線画像検出装置における前記シンチレータ情報をグループ毎に表示することを特徴とする放射線撮影システム。
【発明の詳細な説明】
【技術分野】
【０００１】
本発明は、放射線撮影システムに係り、特に、Ｘ線画像に代表される放射線画像を撮影する放射線撮影システムに関する。
【背景技術】
【０００２】
従来より、医療診断にあっては、被写体にＸ線等の放射線を照射し、当該被写体を透過した放射線の強度分布を検出して得られた放射線画像が広く利用されており、近年では、撮影に際し、放射線を検出して電気エネルギーに変換し、放射線画像情報として検出するＦＰＤ（Flat Panel Detector）を用いた放射線撮影システムが提案されている。ＦＰＤには、放射線強度を検出するためのシンチレータが搭載されている。
【０００３】
この放射線撮影システムにあっては、システム構成の自由度を向上させる上で、撮影室に配設されたＦＰＤを所定の通信回線を介して、撮影動作を制御するためのＰＣ（Personal Computer）等の所定の撮影動作制御装置（コントローラ）と接続して使用するように構成されたものが知られている（例えば、特許文献１参照）。
また、ＦＰＤの運搬性・取扱い性の向上を目的として当該ＦＰＤをカセッテに収容したカセッテ型ＦＰＤも開発されている（例えば、特許文献２参照）。さらに、カセッテ型ＦＰＤと撮影動作制御装置とが無線方式により放射線画像情報等の各種情報を通信可能にシステム構成されたものも提案されている（例えば、特許文献３参照）。
【０００４】
放射線撮影後には、一般的に、撮影が適正に行われたか否かを確認する必要があり、上記の放射線撮影システムにあっては、コンピュータに放射線画像を表示するようになっている。例えば、上記特許文献１におけるＦＰＤと撮影動作制御装置とがシステム専用の通信回線を介して接続された構成のものにあっては、放射線画像情報をＦＰＤから撮影動作制御装置に送信して、撮影動作制御装置にて受信された放射線画像に基づいて作成されたサムネイル画像等の縮小画像をコンピュータに表示することにより、撮影状態の確認を行うことができるようになっている。
【０００５】
しかしながら、ＦＰＤと撮影動作制御装置とをシステム専用の通信回線を介して接続する構成とすると、システム構成の自由度が低くなってしまうため、ＦＰＤと撮影動作制御装置とをイーサネット（Ethernet；登録商標）等の既存のネットワークを介して接続するシステムの構築が考えられるが、この場合、放射線画像情報の通信に時間がかかり、撮影状態の確認を撮影後即座に行うことが困難となる。
そこで、ＦＰＤにおいては、放射線画像情報よりも情報量の少ない縮小画像情報を作成した後、作成された縮小画像情報を撮影動作制御装置に送信して、コンピュータに縮小画像を表示するシステム構成のものが提案されている。
【特許文献１】特開２００３−１９９７３６号公報
【特許文献２】特開平６−３４２０９９号公報
【特許文献３】特開２００３−２１０４４４号公報
【発明の開示】
【発明が解決しようとする課題】
【０００６】
ところで、患者の体格や撮影部位等の撮影条件が異なったとしても所望の画質を得るために、その撮影条件に応じてシンチレータの種類や感度を異ならせることが考えられている。こうした場合、シンチレータの種類や感度が異なる複数のＦＰＤが用いられることになるが、これらのＦＰＤが上述したようなネットワークを介して接続されていたとしても、現状のままではＦＰＤにおけるシンチレータの種類や感度をネットワーク上で認識できないために、放射線画像の撮影に手間がかかり結果的に非効率になってしまうおそれがある。特にカセッテ型ＦＰＤにおいては、ネットワーク上であれば移動が可能であるので、現状のままであるとシンチレータの種類や感度の特定により手間がかかることが想定される。
【０００７】
本発明の課題は、ＦＰＤにおけるシンチレータ種類や感度をネットワーク上で認識させることにより、撮影の効率化を図ることである。
【課題を解決するための手段】
【０００８】
請求項１記載の発明における放射線撮影システムは、
入射した放射線の強度に応じて発光するシンチレータを有するシンチレータ層、前記シンチレータの発光を検出して電気エネルギーに変換する光電変換層及び前記光電変換層で得られた電気エネルギーを蓄積及び出力するスイッチング素子を有するスイッチング素子層を少なくとも有して、前記被写体の放射線画像情報を取得する複数の放射線画像検出装置と、
前記複数の放射線画像検出装置から所望の放射線画像検出装置を選択する選択手段を有する撮影動作制御装置と、を備え、
前記撮影動作制御装置は、前記複数の放射線画像検出装置のそれぞれに用いられている前記シンチレータのシンチレータ情報を表示する表示手段を有することを特徴としている。
【０００９】
請求項１記載の発明によれば、複数の放射線画像検出装置のそれぞれに用いられているシンチレータのシンチレータ情報が表示手段に表示されているので、管理者はそれを視認することによって、ネットワークに接続された放射線画像検出装置のシンチレータ種類や感度を認識することが可能となる。そして、複数の放射線画像検出装置のなかから撮影条件（患者の体格や撮影部位など）に最適な１つの放射線画像検出装置を選択すれば、撮影条件が異なっていたとしても、その条件に応じて最適な放射線画像検出装置を容易に選択でき、結果として効率的に所望の画質で撮影することが可能になる。
【００１０】
請求項２記載の発明における放射線撮影システムは、
入射した放射線の強度に応じて発光するシンチレータを有するシンチレータ層、前記シンチレータの発光を検出して電気エネルギーに変換する光電変換層及び前記光電変換層で得られた電気エネルギーを蓄積及び出力するスイッチング素子を有するスイッチング素子層を少なくとも有して、前記被写体の放射線画像情報を取得する複数の放射線画像検出装置と、
前記複数の放射線画像検出装置のそれぞれにおける前記シンチレータのシンチレータ情報を管理する管理装置と、
前記管理装置で管理された前記シンチレータ情報を表示し、前記放射線画像検出装置を選択する選択手段の選択結果に対応した前記放射線画像検出装置の撮影動作を制御する撮影動作制御装置と、を備えることを特徴としている。
【００１１】
請求項２記載の発明によれば、管理装置によって管理されているシンチレータ情報が撮影動作制御装置で表示されるので、管理者はそれを視認することによって、ネットワークに接続された放射線画像検出装置のシンチレータ種類や感度を認識することが可能となる。そして、選択手段によって、複数の放射線画像検出装置のなかから撮影条件（患者の体格や撮影部位など）に最適な１つの放射線画像検出装置が選択されれば、撮影動作制御装置が、当該放射線画像検出装置の撮影動作を制御するので、撮影条件が異なっていたとしても、その条件に応じて最適な放射線画像検出装置を容易に選択でき、結果として効率的に所望の画質で撮影することが可能になる。
【００１２】
請求項３記載の発明は、請求項１又は２記載の放射線撮影システムにおいて、
前記シンチレータ情報には、前記シンチレータの種類及び感度の少なくとも一方が含まれていることを特徴としている。
【００１３】
上述したように、患者の体格や撮影部位等の撮影条件（患者の体格や撮影部位など）が異なったとしても所望の画質を得るためには、その撮影条件に応じてシンチレータの種類や感度を異ならせればよい。このため、請求項３記載の発明のように、シンチレータの種類及び感度の少なくとも一方がシンチレータ情報に含まれていれば、撮影条件に最適なシンチレータを備えた放射線画像検出装置を容易に選択することができる。
【００１４】
請求項４記載の発明は、請求項３記載の放射線撮影システムにおいて、
前記シンチレータ情報には、前記シンチレータに対応する前記放射線画像検出装置の種類及びサイズの少なくとも一方が含まれていることを特徴としている。
【００１５】
請求項４記載の発明によれば、シンチレータに対応する放射線画像検出装置の種類及びサイズの少なくとも一方がシンチレータ情報に含まれているので、放射線画像検出装置の種類及びサイズをも考慮して、撮影条件に最適な放射線画像検出装置を選択することができる。
【００１６】
請求項５記載の発明は、請求項１〜４のいずれか一項に記載の放射線撮影システムにおいて、
前記撮影動作制御装置は、患者予約時に、前記複数の放射線画像検出装置における前記シンチレータ情報を表示することを特徴としている。
【００１７】
請求項５記載の発明によれば、複数の放射線画像検出装置におけるシンチレータ情報が患者予約時に表示されているので、各患者に対して最適なシンチレータを備えた放射線画像検出装置を選択することができる。
【００１８】
請求項６記載の発明は、請求項１〜５のいずれか一項に記載の放射線撮影システムにおいて、
前記撮影動作制御装置は、患者予約時に入力される撮影条件を基に、当該撮影条件に対応可能な前記シンチレータ情報の候補を選択し、当該シンチレータ情報と他の前記シンチレータ情報とを視覚的に区別して表示することを特徴としている。
【００１９】
請求項６記載の発明によれば、撮影動作制御装置によって、撮影条件に対して適切なシンチレータ情報の候補が選択されて、他のシンチレータ情報とは視覚的に区別されて表示されているので、客観的な観点で判断された選択結果を撮影者が参照することができる。これにより、判断時における撮影者毎の個人差を極力排除することができる。
また、最終判断は撮影者にゆだねられているので、撮影者の意図を反映することができる。例えば、特別な撮影が行われる場合には候補に挙げられたシンチレータ情報を無視して、他のシンチレータ情報を選択することも可能である。
【００２０】
請求項７記載の発明は、請求項１〜６のいずれか一項に記載の放射線撮影システムにおいて、
前記通信回線に接続され、かつ前記放射線画像検出装置によって取得された前記放射線画像情報に対して画像処理を施す画像処理装置を備え、
前記画像処理装置は、前記放射線画像情報を取得した前記放射線画像検出装置の前記シンチレータ情報に対応させて、画像処理条件を変更することを特徴としている。
【００２１】
請求項７記載の発明によれば、画像処理装置が、放射線画像情報を取得した放射線画像検出装置のシンチレータ情報に対応させて、画像処理条件を変更するので、各放射線画像検出装置のシンチレータに対応した最適な画像処理を施すことが可能になる。
【００２２】
請求項８記載の発明は、請求項１〜７のいずれか一項に記載の放射線撮影システムにおいて、
前記撮影動作制御装置は、前記複数の放射線画像検出装置を予めグループ化して、前記放射線画像検出装置における前記シンチレータ情報をグループ毎に表示することを特徴としている。
【００２３】
請求項８記載の発明によれば、放射線画像検出装置におけるシンチレータ情報がグループ毎に表示されるので、通信回線上の全ての放射線画像検出装置におけるシンチレータ情報を参照する必要がないときに、煩わしさを抑制することができる。
【発明の効果】
【００２４】
本発明によれば、各放射線画像検出装置のシンチレータ情報が撮影動作制御装置で表示されるので、管理者はそれを視認することによって、ネットワークに接続された放射線画像検出装置のシンチレータ種類や感度を認識することが可能となる。そして、複数の放射線画像検出装置のなかから撮影条件に最適な１つの放射線画像検出装置を選択すれば、撮影条件が異なっていたとしても、その条件に応じて最適な放射線画像検出装置を容易に選択でき、結果として効率的に所望の画質で撮影することが可能になる。
【発明を実施するための最良の形態】
【００２５】
以下、図面を参照して本発明の実施の形態を詳細に説明する。ただし、発明の範囲は、図示例に限定されない。図１は、本発明を適用した実施形態として例示する放射線撮影システムの概略構成を示す図である。
図１に示すように、放射線撮影システム１００は、例えば、第一撮影室Ｒ１、第二撮影室Ｒ２、第三撮影室Ｒ３の３つの撮影室にわたって構成されているものである。第一撮影室Ｒ１、第二撮影室Ｒ２、第三撮影室Ｒのそれぞれには、被写体の放射線撮影に際し、被写体に対してＸ線等の放射線を照射する放射線画像撮影装置１と、被写体の放射線画像を取得する複数の放射線画像検出装置２と、各撮影室Ｒ１，Ｒ２，Ｒ３のそれぞれに設置された放射線画像検出装置２の撮影動作の制御、放射線画像の表示及び放射線画像の画像処理等を行うコンソール３とが設置されている。そして、各撮影室Ｒ１，Ｒ２，Ｒ３の各装置がネットワークＮを介して接続されている。ネットワークＮには、ネットワークＮ上の全ての放射線画像検出装置２を管理する管理装置が接続されている。
ここで、ネットワークＮは、当該システム専用の通信回線であってもよいが、システム構成の自由度が低くなってしまう等の理由のため、イーサネット（Ethernet；登録商標）等の既存の回線である方が好ましい。
【００２６】
放射線画像撮影装置１について図２を参照して詳細に説明する。ここで、図２は放射線画像撮影装置１の要部構成を表す説明図である。放射線画像撮影装置１は、例えば院内の放射線撮影室に設置されて使用されるものであり、放射線源（放射線照射手段）１１を有し、この放射線源１１に管電圧が印加されることによって、放射線を発生するようになっている。放射線源１１の放射線照射口には、放射線照射野を調節する絞り装置１２が、開閉自在に設けられている。放射線源１１の下方であって放射線照射範囲には、患者Ｓを載置させる寝台１３が設けられており、寝台１３の下方には、放射線の強弱を読み取って放射線画像を検出する放射線画像検出装置２を装着する検出装置装着口（図示しない）が設けられている。検出装置装着口の下部には、フォトタイマ１４が設けられており、フォトタイマ１４は、患者Ｓを透過する放射線量を検出し、患者Ｓを透過する放射線量が所定の線量に到達したときに、コンソール３に対して放射線源１１からの放射線の照射を停止させるように信号を送信するようになっている。
【００２７】
以下に、放射線画像検出装置２について、図３を参照して詳細に説明する。ここで、図３は、放射線画像検出装置２の要部構成を示すブロック図である。
【００２８】
放射線画像検出装置２は、例えば、図３に示すように、制御部２１、ＲＡＭ２２、ＲＯＭ２３、検出部２４、画像メモリ２５、通信部２６、電源部２７、シンチレータ情報メモリ２８等がバスＡによって接続された状態で、カセッテに収容されたカセッテ型ＦＰＤである。
【００２９】
ＲＡＭ（Random Access Memory）２２は、例えば、揮発性の半導体メモリであり、制御部２１により実行される各種プログラムの作業領域（図示略）等を構成している。
【００３０】
ＲＯＭ（Read Only Memory）２３は、読み出し専用のメモリであり、例えば、各種プログラムや、当該放射線画像検出装置２を識別するための識別情報等が記憶されている。
各種プログラムとしては、検出部２４から被写体の放射線画像情報を取得するための取得制御プログラム、取得した放射線画像情報を画像メモリ２５に記憶させるための画像記憶制御プログラム、放射線画像情報に基づいて、コンソール３に対して出力される表示用画像情報を生成するための表示用情報生成プログラム、表示用情報生成プログラムによって生成された表示用画像情報と放射線画像情報とを対応付けるための対応付プログラム、放射線画像情報を補正するための放射線画像補正プログラム、表示用画像情報を補正するための表示用画像補正プログラム、放射線画像の補正に係る補正用情報を取得するための補正用情報取得プログラム、放射線画像情報をコンソール３に対して送信してもよいか否かを判定するための判定プログラム等が挙げられる。
【００３１】
識別情報とは、ネットワークＮで接続された複数の放射線画像検出装置２のそれぞれを識別するために各放射線画像検出装置に付された重複しない情報のことであり、例えば製造番号や、ＩＤ番号等が挙げられる。
【００３２】
検出部２４は、放射線源１１から被写体を透過して入射した放射線の強度に応じて発光するシンチレータを有するシンチレータ層、シンチレータの発光を検出して電気エネルギーに変換する光電変換層及び前記光電変換層で得られた電気エネルギーを蓄積及び出力する例えばＴＦＴ（Thin Film Transistor）等のスイッチング素子を有するスイッチング素子層を少なくとも有している。
【００３３】
画像メモリ２５は、検出部２４のスイッチング素子部から出力された電気エネルギーが制御部２１の制御下にて読み取られることで、取得された放射線画像情報を記憶するようになっている。具体的には、フラッシュメモリ等の不揮発性メモリから構成されている。この画像メモリ２５の記憶容量は、放射線画像を少なくとも２つ記憶可能な大きさである。なお、記憶容量の上限は、当該放射線撮影システム１００の構成等に応じて適当に設定され、例えば、放射線画像を１０程度記憶可能な大きさである。
【００３４】
通信部２６は、例えば無線ＬＡＮ（Local Area Network）等の無線通信方式によりコンソール３及びサーバ（管理装置）４と各種情報の通信を行うものである。この通信部２６は、制御部２１により生成され、所定の画像補正が施された縮小画像情報をコンソール３に送信（出力）するようになっている。また、通信部２６は、制御部２１により生成され、コンソール３に対して送信される縮小画像情報と画像メモリ２５に記憶された放射線画像情報とを対応付けるためのキー情報をコンソール３に送信するようになっている。そして、通信部２６は、画像メモリ２５に記憶され、画像補正後（後述）の放射線画像情報をコンソール３に対して出力するようになっている。また、通信部２６は、撮影動作を制御するための撮影動作信号をコンソール３から受信するようになっている。
【００３５】
電源部２７は、放射線画像検出装置２を構成する各部に電源を供給する充電池２７１を有し、当該放射線画像検出装置２の所定位置に設けられた充電用端子（図示略）を介して充電可能に構成されている。
【００３６】
シンチレータ情報メモリ２８は、当該放射線画像検出装置２に備えられるシンチレータ固有のシンチレータ情報を記憶していて、例えば、フラッシュメモリなどの不揮発性メモリから構成されている。ここで、シンチレータ情報には、シンチレータの種類及び感度（相対発光強度）の少なく一方が含まれている。シンチレータの種類としては、放射線光変換層を形成する例えばＧｄ2Ｏ2Ｓ：ＴｂやＣｓＩ：Ｔｌなどの蛍光体の種類が挙げられる。さらに、シンチレータ情報には、当該シンチレータに対応する放射線画像検出装置２の種類やサイズの少なくとも一方が含まれていることが好ましい。
ここで放射線画像検出装置２の種類としては、本実施形態で例示したカセッテ型ＦＰＤ以外にも、立位専用ＦＰＤや、臥位専用ＦＰＤなどがある。
放射線画像検出装置２のサイズには、半切（１７×１４インチ）、大角（１４×１４インチ）、大四切（１１×１４インチ）等がある。
【００３７】
制御部２１は、例えばＣＰＵ（Central Processing Unit）等から構成され、ＲＯＭ２３に格納される所定のプログラムを読み出してＲＡＭ２２の作業領域に展開し、当該プログラムに従って各種処理を実行する。例えば、制御部２１は、取得制御プログラムに従いながら、コンソール３から送信された撮影動作信号を基にして、検出部２４の各スイッチング素子を制御することで、当該スイッチング素子に蓄積された電気エネルギーの読み取りをスイッチングしていき、検出部２４に蓄積された電気エネルギーを読み取る。これにより、制御部２１は、検出部２４から被写体の放射線画像情報を取得する。
また、制御部２１は、画像記憶制御プログラムに従って、被写体の新たな放射線撮影の前に、取得した放射線画像情報を画像メモリ２５に記憶させる。
【００３８】
また、制御部２１は、放射線画像情報を取得する毎に、表示用情報生成プログラムに従って、取得した放射線画像情報に基づいて、コンソール３に対して出力される表示用画像情報を生成する。具体的には、制御部２１は、表示用画像情報として、放射線画像情報よりも情報量の少ない縮小画像情報を生成するようになっている。この縮小画像の縮小率は、例えば、原画像に対して各辺の長さが１／２〜１／１００倍となる程度（画素数が１／４〜１／１００００倍となる程度）が好ましく、１／４〜１／２５００倍となる程度がより好ましい。
ここで、制御部２１による表示用画像の生成は、画像メモリ２５に対する放射線画像情報の記憶前に行われてもよいし、放射線画像情報の記憶後に行われてもよい。
さらに、制御部２１は、対応付プログラムに従って、制御部２１により生成された表示用画像情報と画像メモリ２５に記憶された放射線画像情報とを対応付けるためのキー情報を生成する。
【００３９】
また、制御部２１は、放射線画像補正プログラムに従って、取得された放射線画像情報を補正したり、表示用画像補正プログラムに従って、生成された表示用画像情報を補正したりする。具体的には、本実施形態にあっては、シンチレータを構成するａ−Ｓｉ（アモルファス・シリコン）等の半導体に時間の経過に応じて蓄積される暗電流を補正するＦＰＮ（Fixed Pattern Noise）補正や、検出部２４の画素毎のゲインのバラツキを補正する白補正（ゲイン補正）等を行う。これら画像補正にあっては、制御部２１は、補正用情報取得プログラムに従って、放射線画像の補正に係る補正用情報を取得、具体的には、例えば、ＦＰＮ補正にあっては暗電流信号（ＦＰＮ信号）を取得し、また、白補正にあっては白画像データを取得するようになっている。
以下に、ＦＰＮ補正及び白補正について、さらに詳細に説明する。
【００４０】
ＦＰＮ補正とは、具体的には、撮影で得られた画像信号から当該画像信号の中に含まれ、ノイズとなるＦＰＮ信号を取り除くことにより、真の画像信号を得る画像補正である。ここで、ＦＰＮ信号は、一般に温度及び蓄積時間の関数であり、さらに、撮影部位・被写体毎に撮影時間は異なることから、ＦＰＮ補正を行う上で、一回の撮影毎に検出部２４の蓄積時間を計測して、撮影後に、計測された蓄積時間と略等しい時間だけ検出部２４にＸ線を照射しない状態で暗電流を蓄積させる。その後、検出部２４から信号を読み出すことにより、撮影画像に含まれるＦＰＮ信号と略等しいＦＰＮ画像信号を得る。このＦＰＮ画像信号を、被写体を撮影することで得た画像信号から減算することにより、真の画像信号を得ることができる。
また、白補正にあっては、先ず、例えばＦＰＮ補正後にＬｏｇ（対数）変換された画像信号から白画像データ（Ｌｏｇ値）を減算する。ここで、白画像データは、被写体を介さずに検出部２４全体に一様な放射線を照射することにより取得される画像データであり、取得された白画像データは、所定の記憶手段に記憶される。なお、白画像データの取得は、例えば毎朝又は一週間に一度等、定期的に行われるようになっている。
【００４１】
また、制御部２１は、判定プログラムに従って、コンソール３の通信部３６から送信され当該放射線画像検出装置２の通信部２６を介して受信した撮影適否信号に基づいて、画像メモリ２５に記憶された放射線画像情報をコンソール３に対して送信してもよいか否かを判定する。より具体的には、制御部２１は、撮影適否信号及び当該撮影適否信号に係るキー情報に基づいて、画像メモリ２５に記憶された複数の放射線画像情報のうち、キー情報に対応付けられた放射線画像情報をコンソール３に対して送信してもよいか否かを判定するようになっている。
【００４２】
次にコンソール３について、図４を参照にして説明する。図４は、コンソール３の要部構成を示すブロック図である。
コンソール３は、放射線撮影が適正に行われたか否かを撮影者が確認するために、放射線画像検出装置２にて撮影された放射線画像を表示したり、放射線画像に対して所定の画像処理を施したり、放射線画像検出装置２の撮影動作の制御したりするものである。つまり、コンソール３は、本発明に係る撮影動作制御装置と画像処理装置とを兼用するものである。図４に示すように、コンソール３は、制御部３１、ＲＡＭ３２、ＲＯＭ３３、表示部３４、操作入力部３５、通信部３６、電源部３７、画像記憶部３８等を備えて構成されていて、各部はバスＢにより接続されている。
【００４３】
ＲＡＭ３２は、例えば、揮発性の半導体メモリであり、制御部３１により実行される各種プログラムの作業領域（図示略）等を構成している。また、ＲＡＭ３２は、放射線画像検出装置２の通信部２６から出力され入力された複数の表示用画像情報としての縮小画像情報を記憶するようになっている。
ＲＯＭ３３は、読み出し専用のメモリであり、制御部３１により実行される各種プログラムを記憶している。各種プログラムとしては、例えば、放射線画像を画像処理するための画像処理プログラムや、放射線画像検出装置２の撮影動作を制御するための制御プログラムなどが挙げられる。
ここで、シンチレータの種類によって最適な画像処理条件が異なるために、ＲＯＭ３３には、シンチレータの種類に応じて複数の画像処理プログラム又は画像処理パラメータが記憶されている。
【００４４】
制御部３１は、例えば、ＣＰＵ等から構成され、ＲＯＭ３３に格納される所定のプログラムを読み出してＲＡＭ３２の作業領域に展開し、当該プログラムに従って各種処理を実行する。具体的には、制御部３１は、画像処理プログラムに従って、放射線画像検出装置２の通信部２６から送信され通信部３６を介して受信した放射線画像情報に基づいて、当該放射線画像情報に係る放射線画像の階調処理や周波数強調処理等の所定の画像処理を行う。
また、制御部３１は、制御プログラムに従いながら、操作入力部３５からの操作信号を基にして撮影動作信号を作成し、この撮影動作信号を放射線画像検出装置２にネットワークＮを介して出力することで、放射線画像検出装置２の撮影動作を制御するようになっている。
【００４５】
表示部３４は、例えば、ＣＲＴ（Cathode Ray Tube）やＬＣＤ（Liquid Crystal Display）等を備えて構成され、制御部３１から出力され入力される表示信号の指示に従って、各種画面を表示する。具体的には、表示部３４は、放射線画像検出装置２から送信され通信部３６を介して受信された複数の縮小画像情報に基づいて、複数の縮小画像をサムネイル表示可能に構成されている。
また、表示部３４は、放射線画像検出装置２の撮影動作制御時における撮影動作指示信号の入力を指示するための撮影動作指示信号部や、縮小画像の表示の際に、例えば、各縮小画像と対応付けて撮影適否信号の入力を指示するための撮影適否指示部等を表示するようになっている。ここで、撮影動作指示信号部内には、放射線画像検出装置２のシンチレータ情報が表示されることになる。
そして、撮影動作指示部や撮影適否指示部は、例えば、操作入力部３５の所定操作に基づいて選択可能となるように表示されるものである。
【００４６】
操作入力部３５は、例えば、キーボードやマウス等から構成されており、キーボードで押下操作されたキーの押下信号やマウスによる操作信号とを入力信号として制御部３１に対して出力する。具体的には、操作入力部３５は、放射線画像の表示指示に係る画像表示指示信号や、放射線画像の撮影状態が適正であるか否かに係る撮影適否信号、放射線画像検出装置２に対する撮影動作指示信号等を制御部３１に対して出力（入力）するように構成されている。
また、操作入力部３５は、表示部３４の表示画面を覆う透明なシートパネルに、指又は専用のスタイラスペンで触れることにより入力される位置情報を入力信号として制御部３１に出力する、所謂、タッチパネルにより構成されてもよい。
【００４７】
通信部３６は、例えば無線ＬＡＮ等の無線通信方式により放射線画像検出装置２の通信部２６との間で各種情報の通信を行うものである。具体的には、通信部３６は、放射線画像検出装置２の通信部２６から送信された縮小画像情報及びキー情報を受信する。また、通信部３６は、操作入力部３５により入力された撮影動作指示信号、撮影適否信号と、当該撮影適否信号に係る縮小画像情報に対応付けられたキー情報とを放射線画像検出装置２に対して送信する。
【００４８】
電源部３７は、コンソール３を構成する各部に電源を供給するものである。この電源部３７は、例えば、所定の充電用端子（図示略）を介して充電可能に構成された充電池を備える構成であってもよいし、交流商用電源に接続するための電源接続部を備える構成であってもよい。
【００４９】
画像記憶部３８は、例えば、ハードディスクドライブ等を備えて構成され、制御部３１の制御下にて所定の画像処理が施された放射線画像に係る放射線画像情報を記憶する画像データベースを構成している。
【００５０】
次に、サーバ４について図５を参照にして説明する。図５は、管理装置の要部構成を示すブロック図である。
サーバ４は、ネットワークＮ上の全ての放射線画像検出装置２を管理するものである。図５に示すように、サーバ４は、制御部４１、ＲＡＭ４２、ＲＯＭ４３、表示部４４、操作入力部４５、通信部４６、電源部４７等を備えて構成されており、各部はバスＣにより接続されている。
【００５１】
ＲＡＭ４２は、例えば、揮発性の半導体メモリであり、制御部４１により実行される各種プログラムの作業領域（図示略）、放射線画像検出装置２の識別情報やシンチレータ情報を記憶する記憶領域（図示省略）等を構成している。
ＲＯＭ４３は、読み出し専用のメモリであり、制御部４１により実行される各種プログラム、例えば各放射線画像検出装置２を管理するための管理プログラムを記憶している。
【００５２】
制御部４１は、例えば、ＣＰＵ等から構成され、ＲＯＭ４３に格納される所定のプログラムを読み出してＲＡＭ４２の作業領域に展開し、当該プログラムに従って各種処理を実行する。具体的には、制御部４１は、管理プログラムに従いながら、各放射線画像検出装置２の識別情報及びシンチレータ情報を基にして、各放射線画像検出装置２を管理するようになっている。
【００５３】
通信部４６は、例えば無線ＬＡＮ等の無線通信方式により放射線画像検出装置２との間で各種情報の通信を行うものであり、具体的には、放射線画像検出装置２の通信部２６から出力された識別情報及びシンチレータ情報を受信する。なお、通信部４６は、サーバ４でシンチレータ情報を管理する場合などであると、識別情報及びシンチレータ情報を送信することになる。
【００５４】
表示部４４及び操作入力部４５は、上記のコンソール３に備わる表示部３４及び操作入力部３５と略等しい構成となっている。
また、電源部４７は、サーバ４を構成する各部に電源を供給するものである。
【００５５】
次に、放射線撮影システム１００における放射線画像の撮影処理について、図６を参照して説明する。図６は、放射線撮影システム１００による撮影処理に係る動作の一例を示すフローチャートである。
【００５６】
先ず、各撮影室Ｒ１，Ｒ２，Ｒ３において、新たな放射線画像検出装置２がネットワークＮに接続されると、その放射線画像検出装置２の通信部２６からは識別情報及びシンチレータ情報がサーバ４に送信される（ステップＳ１）。サーバ４の制御部４１は、取得した識別情報及びシンチレータ情報を基にして管理プログラムに従いながら、ネットワークＮに接続された放射線画像検出装置２のシンチレータ情報を管理する（ステップＳ２）。ここで、サーバ４は、ネットワークＮに接続された全ての放射線画像検出装置２を撮影室Ｒ１，Ｒ２，Ｒ３毎にグループ化して管理している。なお、グループ化の基準として、撮影室Ｒ１，Ｒ２，Ｒ３毎にグループ化するだけでなく、近隣の撮影室Ｒ１，Ｒ２，Ｒ３をも含んだ形でグループ化してもよい。
【００５７】
その後、コンソール３の制御部３１は、担当する撮影室Ｒ１，Ｒ２，Ｒ３に対応するシンチレータ情報のグループをサーバ４から取得して、当該撮影室Ｒ１，Ｒ２，Ｒ３に存在する全ての放射線画像検出装置２のシンチレータ情報を表示部３４に表示させる（ステップＳ３）。なお、一度ネットワークＮに接続されて識別情報及びシンチレータ情報が登録されている放射線画像検出装置２がネットワークＮに接続されていない場合には、そのシンチレータ情報を表示する際に、現在ネットワークＮに接続されていない旨も表示しておくことが好ましい。
【００５８】
撮影者は、表示部３４に表示されたシンチレータ情報を基に、各患者の予約を行う（ステップＳ４）。予約時においては、撮影者は操作入力部３５を操作することで、コンソール３に患者の体格（身長や体重など）や撮影部位などの撮影条件を入力する。コンソール３の制御部３１は入力された撮影条件を基に、この撮影条件に対応可能なシンチレータ情報の候補を選択し、候補とされたシンチレータ情報と、他のシンチレータ情報とが視覚的に区別されるように、表示部３４に表示させる。撮影者は、候補とされたシンチレータ情報と、他のシンチレータ情報とを参照にしながら、操作入力部３５を操作して、撮影条件に最適な検出部２４を備えた放射線画像検出装置２を選択し、コンソール３に入力する。つまり、操作入力部３５が本発明に係る選択手段である。
なお、撮影条件に最適な放射線画像検出装置２がグループ内にない場合には、コンソール３の制御部３１は、他のグループのシンチレータ情報を取得して、表示部３４に表示させる。これにより、他のグループ内から撮影条件に最適な放射線画像検出装置２を選択することができる。
【００５９】
その後、コンソール３に対して、撮影開始指示が入力されると（ステップＳ５）、ステップＳ３で選択された放射線画像検出装置２を放射線画像撮影装置１にセットし、放射線画像撮影装置１から被写体に対して放射線を照射して、放射線画像検出装置２を用いて被写体の放射線撮影を行う（ステップＳ６）。即ち、放射線画像検出装置２の検出部２４のシンチレータ層にて入射した放射線を検出し、光電変換層で電気エネルギーに変換し、スイッチング素子層で電気エネルギーを蓄積／読み出しを行い、被写体の放射線画像情報を取得する（ステップＳ７）。
【００６０】
具体的には、制御部２１は、ＲＯＭ２３から取得制御プログラムを読み出してＲＡＭ２２に展開し、この取得制御プログラムに従って、検出部２４の各スイッチング素子を制御して、当該各スイッチング素子に蓄積された電気エネルギーの読み取りをスイッチングしていき、検出部２４に蓄積された全ての電気エネルギーを読み取る。
続けて、制御部２１は、ＲＯＭ２３から放射線画像補正プログラムを読み出してＲＡＭ２２に展開し、この放射線画像補正プログラムに従って、取得した放射線画像情報に対して所定の画像補正を施す原画像の補正処理を行う（ステップＳ８）。
その後、制御部２１は、ＲＯＭ２３から画像記憶制御プログラムを読み出してＲＡＭ２２に展開し、この画像記憶制御プログラムに従って、補正後の放射線画像情報を画像メモリ２５に記憶させる（ステップＳ９）。
【００６１】
次に、制御部２１は、ＲＯＭ２３から表示用情報生成プログラムを読み出してＲＡＭ２２に展開し、この表示用情報生成プログラムに従って、取得した放射線画像情報に基づいて、コンソール３に対して出力される表示用画像として、放射線画像情報よりも情報量の少ない縮小画像情報を生成する（ステップＳ１０）。
続けて、制御部２１は、ＲＯＭ２３から表示用画像補正プログラムを読み出してＲＡＭ２２に展開し、この表示用画像補正プログラムに従って、縮小画像情報に対して所定の画像補正を施す（ステップＳ１１）。
なお、上記の縮小画像情報の生成及び補正は、当該放射線画像検出装置２による放射線画像情報の取得毎に行われるようになっている。
【００６２】
次に、制御部２１は、ＲＯＭ２３から対応付プログラムを読み出してＲＡＭ２２に展開し、この対応付プログラムに従って、コンソール３に送信される縮小画像情報と画像メモリ２５に記憶された放射線画像情報とを対応付けるためのキー情報を生成する（ステップＳ１２）。
【００６３】
その後、制御部２１は、通信部２６を制御して、生成された縮小画像情報及び当該縮小画像情報に対応するキー情報をコンソール３に対して送信させる（ステップＳ１３）。
【００６４】
コンソール３では、放射線画像検出装置２の通信部２６から送信された縮小画像情報及びキー情報を、通信部３６を介して受信すると、当該コンソール３の制御部３１は、受信した縮小画像情報及びキー情報をＲＡＭ３２の所定領域に格納する（ステップＳ１４）。
その後、操作入力部３５の操作に基づいて、ＲＡＭ３２に格納された縮小画像情報の表示指示に係る画像表示指示信号が入力されると、制御部３１は、画像表示指示信号に対応する複数の縮小画像情報をＲＡＭ３２から取得して、取得した縮小画像情報に基づく複数の縮小画像を表示部３４にサムネイル表示させる（ステップＳ１５）。具体的には、制御部３１は、表示部３４の所定位置に、複数の縮小画像とこれら縮小画像の各々と対応付けられた撮影適否指示部を表示させるようになっている。
そして、表示部３４に表示された撮影適否指示部が撮影者による操作入力部３５の所定操作に基づいて選択指示されることにより、選択された撮影適否指示部に係る放射線画像の撮影状態が適正であるか否かに係る撮影適否信号が制御部３１に対して入力される（ステップＳ１６）。
制御部３１は、撮影適否信号が入力される毎に、入力された撮影適否信号をＲＡＭ３２の情報格納領域に一旦格納させる。
なお、通信部３６を介して受信したキー情報は、例えば、ＲＡＭ３２内の所定の格納領域に格納されるようになっている。
【００６５】
その後、例えば撮影者による操作入力部３５の操作に従って撮影適否信号の放射線画像検出装置２に対しての送信が指示されると、制御部３１は、送信指示された撮影適否信号及びこの撮影適否信号に対応するキー情報をＲＡＭ３２から読み出した後、通信部３６を制御して、放射線画像検出装置２に対して送信させる（ステップＳ１７）。
【００６６】
そして、放射線画像検出装置２では、コンソール３の通信部３６から送信され通信部２６を介して撮影適否信号及びキー情報を受信すると、制御部２１は、ＲＯＭ２３から判定プログラムを読み出してＲＡＭ２２に展開し、この判定プログラムに従って、各撮影適否信号及びキー情報に基づいて、画像メモリ２５に記憶された複数の放射線画像情報のうち、キー情報に対応付けられた放射線画像情報をコンソール３に対して送信してもよいか否かを判定する（ステップＳ１８）。具体的には、制御部２１は、撮影適否信号として放射線画像の撮影状態が適正であるという情報を含む信号が入力された場合に、放射線画像情報を送信してもよいと判定する一方で、撮影適否信号として放射線画像の撮影状態が不適正であるという情報を含む信号が入力された場合に、放射線画像情報を送信する必要がないと判定するようになっている。
ここで、放射線画像情報をコンソール３に対して送信してもよいと判定されると（ステップＳ１８；ＹＥＳ）、制御部２１は、画像メモリ２５から放射線画像情報を取得して、取得した放射線画像情報を通信部２６からコンソール３に対して送信させる（ステップＳ１９）。
【００６７】
コンソール３では、放射線画像検出装置２の通信部２６から送信された放射線画像情報を、通信部３６を介して受信すると、当該コンソール３の制御部３１は、ＲＯＭ３３から画像処理プログラムを読み出してＲＡＭ３２に展開し、この画像処理プログラムに従って、受信した放射線画像情報に基づいて、当該放射線画像情報に係る放射線画像の階調処理や周波数強調処理等の所定の画像処理を行う（ステップＳ２１）。この際、制御部３１は、放射線画像情報を取得した放射線画像検出装置２のシンチレータ情報に対応させて、画像処理条件を変更している。具体的には、制御部３１は、ＲＯＭ３３に記憶される複数の画像処理プログラムから、当該シンチレータ情報に最適な画像処理プログラムを選択し、その選択した画像処理プログラム及び放射線画像情報に基づいて画像処理を行う。
その後、制御部３１は、画像処理後の放射線画像情報を画像記憶部３８の所定領域に記憶させる（ステップＳ２２）。
【００６８】
なお、ステップＳ１８にて、放射線画像情報をコンソール３に対して送信する必要がいと判定された場合には（ステップＳ１８；ＮＯ）、制御部２１は、当該放射線画像検出装置２の各部を制御して放射線画像の再撮影の受付状態に移行する（ステップＳ２０）。
ここで、制御部２１は、コンソール３に対して送信する必要のない放射線画像情報をデータ消去するような構成であってもよい。
【００６９】
以上のように、本実施形態の放射線撮影システム１００によれば、サーバ４によって管理されているシンチレータ情報がコンソール３で表示されるので、管理者はそれを視認することによって、ネットワークに接続された放射線画像検出装置２のシンチレータ種類や感度を認識することが可能となる。そして、複数の放射線画像検出装置２のなかから撮影条件に最適な１つの放射線画像検出装置２を選択すれば、コンソール３が、当該放射線画像検出装置２の撮影動作を制御するので、撮影条件が異なっていたとしても、その条件に応じて最適な放射線画像検出装置２を容易に選択でき、結果として効率的に所望の画質で撮影することが可能になる。
【００７０】
また、シンチレータの種類及び感度の少なくとも一方がシンチレータ情報に含まれているので、撮影条件に最適な検出部２４を備えた放射線画像検出装置を容易に選択することができる。さらに、検出部２４に対応する放射線画像検出装置２の種類及びサイズの少なくとも一方がシンチレータ情報に含まれているので、放射線画像検出装置２の種類及びサイズをも考慮して、撮影条件に最適な放射線画像検出装置２を選択することができる。
【００７１】
また、複数の放射線画像検出装置２におけるシンチレータ情報が患者予約時に表示されているので、各患者に対して最適なシンチレータを備えた放射線画像検出装置２を選択することができる。
さらに、コンソール３によって、撮影条件に対して適切なシンチレータ情報の候補が選択されて、他のシンチレータ情報とは視覚的に区別されて表示されているので、客観的な観点で判断された選択結果を撮影者が参照することができる。これにより、判断時における撮影者毎の個人差を極力排除することができる。また、最終判断は撮影者にゆだねられているので、撮影者の意図を反映することができる。例えば、特別な撮影が行われる場合には候補に挙げられたシンチレータ情報を無視して、他のシンチレータ情報を選択することも可能である。
【００７２】
そして、コンソール３が、放射線画像情報を取得した放射線画像検出装置２のシンチレータ情報に対応させて、画像処理条件を変更するので、各放射線画像検出装置２のシンチレータに最適な画像処理を施すことが可能になる。
さらに、放射線画像検出装置２におけるシンチレータ情報がグループ毎に表示されるので、通信回線上の全ての放射線画像検出装置２におけるシンチレータ情報を参照する必要がないときに、煩わしさを抑制することができる。
【００７３】
なお、本発明は上記実施形態に限らず適宜変更可能であるのは勿論である。
例えば、本実施形態の放射線撮影システム１００では、各放射線画像検出装置２のシンチレータ情報がサーバ４にまとめて管理されているが、例えば、各撮影室Ｒ１，Ｒ２，Ｒ３のコンソール３のそれぞれに、当該コンソール３が担当する放射線画像検出装置２のシンチレータ情報が記憶されていて、必要に応じてサーバ４に取得されて管理される構成であってもよい。つまり、シンチレータ情報自体は、サーバ４で常に管理できるのであれば、一箇所にまとめて記憶されていても、分散して記憶されていても構わない。
【００７４】
また、本実施形態では、ネットワークＮ上にサーバ４が単体で接続される構成を例示したが、例えば、ネットワークＮ上に接続される複数のコンソール３のうち、１つのコンソール３が本発明に係る管理装置として動作してもよい。こうした場合、１つのコンソール３が、本発明に係る撮影動作制御装置と管理装置とを兼ねているので、管理装置を単体で設置した場合よりもシステム構成を簡略化することができる。
【００７５】
さらに、本実施形態では、原画像や縮小画像の補正を放射線画像検出装置２で行う場合を例示して説明したが、これらの画像の補正をコンソール３で行ってもよい。こうした場合には、サーバ４の制御部４１は、撮影に用いられる放射線画像検出装置２の識別情報を基にして、ＲＡＭ４２に記憶されている複数の管理情報の中から、当該放射線画像検出装置２に対応する管理情報を抽出し、コンソール３に送信する。コンソール３の制御部３１は、受信した管理情報の中から画像補正用データを取得して、その画像補正用データを基に原画像や縮小画像の補正を行うようになっている。
【００７６】
そして、本実施形態では、コンソール３が、サーバ４で管理されたシンチレータ情報を表示し、表示されたシンチレータ情報を基に、撮影者が操作入力部３５を操作して、複数の放射線画像検出装置２から所望の放射線画像検出装置２を選択するようになっているが、サーバ４を介さなくてもコンソール３が直接複数の放射線画像検出装置２のシンチレータ情報を表示部３４に表示してもよい。こうした場合においても、複数の放射線画像検出装置２のそれぞれに用いられているシンチレータのシンチレータ情報が表示部３４に表示されているので、管理者はそれを視認することによって、ネットワークに接続された放射線画像検出装置２のシンチレータ種類や感度を認識することが可能となる。そして、複数の放射線画像検出装置２のなかから撮影条件に最適な１つの放射線画像検出装置２を選択すれば、撮影条件が異なっていたとしても、その条件に応じて最適な放射線画像検出装置を容易に選択でき、結果として効率的に所望の画質で撮影することが可能になる。
そして、本実施形態では無線通信方式を適用したが、有線通信方式であっても構わない。
【図面の簡単な説明】
【００７７】
【図１】本発明を適用した実施形態として例示する放射線撮影システムの概略構成を示す図である。
【図２】図１の放射線撮影システムを構成する放射線画像撮影装置１の要部構成を表す説明図である。
【図３】図１の放射線撮影システムを構成する放射線画像検出装置の要部構成を示すブロック図である。
【図４】図１の放射線撮影システムを構成するコンソールの要部構成を示すブロック図である。
【図５】図１の放射線撮影システムを構成するサーバの要部構成を示すブロック図である。
【図６】図１の放射線撮影システムによる撮影処理に係る動作の一例を示すフローチャートである。
【符号の説明】
【００７８】
１      放射線画像撮影装置
１１    放射線源（放射線照射手段）
２      放射線画像検出装置
２４    シンチレータ
３      コンソール（撮影動作制御装置、画像処理装置）
３４    表示部（表示手段）
３５    操作入力部（選択手段）
４      サーバ（管理装置）
１００  放射線撮影システム
Ｎ      ネットワーク
【図１】
2006026283.tif 000003
【図２】
2006026283.tif 000004
【図３】
2006026283.tif 000005
【図４】
2006026283.tif 000006
【図５】
2006026283.tif 000007
【図６】
2006026283.tif 000008